【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
ファイル順序情報と関連づけられた複数の画像ファイルを記憶している記憶媒体の中から、設定された検索条件に一致する画像を表示する画像処理装置であって、
前記ファイル順序情報で特定される前記複数の画像ファイルの並びの中で、前記検索条件に一致する画像の相対位置を示すインジケータを表示するインジケータ表示手段と、
前記検索条件に一致する画像の１つを表示する画像表示手段と、
所定の指示入力に応じて、表示された画像に代わって、当該画像の後或いは前の順序位置にあり、前記検索条件に一致する画像を表示する画像切り換え手段と
を備えることを特徴とする画像処理装置。
【請求項２】
更に、予め設定された複数の検索条件の中から検索条件を選択する選択手段と、
選択された検索条件を表示する検索条件表示手段と、
前記選択手段で検索条件が選択された場合、選択された検索条件に一致する画像を検索する検索手段とを備え、
前記前記インジケータ表示手段は、前記検索手段で検索した際に、前記インジケータを表示することを特徴とする請求項１に記載の画像処理装置。
【請求項３】
更に、前記画像表示手段は、表示中の画像の位置を特定するマークを前記インジケータに表示することを特徴とする請求項１に記載の画像処理装置。
【請求項４】
前記選択手段で選択する検索条件には、撮影日時、撮影モード、画像ファイルの種類が含まれることを特徴とする請求項２に記載の画像処理装置。
【請求項５】
前記撮影モードには、自動、近景、ポートレート、スナップ、遠景が含まれることを特徴とする請求項４に記載の画像処理装置。
【請求項６】
前記画像ファイルの種類には、動画像、静止画が含まれることを特徴とする請求項４に記載の画像処理装置。
【請求項７】
前記選択手段は、撮影日時情報に基づく日或いは月の始めに撮影された画像を検索する条件を選択可能とすることを特徴とする請求項４に記載の画像処理装置。
【請求項８】
前記ファイル順序情報はファイル名に含まれるインデックス番号であることを特徴とする請求項１に記載の画像処理装置。
【請求項９】
前記ファイル順序情報は撮影日時を示す情報であることを特徴とする請求項１に記載の画像処理装置。
【請求項１０】
ファイル順序情報と関連づけられた複数の画像ファイルを記憶している記憶媒体の中から、設定された検索条件に一致する画像を表示する画像処理装置の制御方法であって、
前記ファイル順序情報で特定される前記複数の画像ファイルの並びの中で、前記検索条件に一致する画像の相対位置を示すインジケータを表示するインジケータ表示工程と、
前記検索条件に一致する画像の１つを表示する画像表示工程と、
所定の指示入力に応じて、表示された画像に代わって、当該画像の後或いは前の順序位置にあり、前記検索条件に一致する画像を表示する画像切り換え工程と
を備えることを特徴とする画像処理装置の制御方法。
【請求項１１】
請求項１０に記載の各工程をコンピュータに実行させることを特徴とするコンピュータプログラム。
【請求項１２】
請求項１１に記載のコンピュータプログラムを格納したことを特徴とするコンピュータ可読記憶媒体。
【請求項１３】
ファイル順序情報と関連づけられた複数の画像ファイルを記憶している記憶媒体の中から、設定された検索条件に一致する画像を表示する画像処理装置であって、
上下左右方向を示すキー中の上下キーのいずれかが操作された場合、検索条件を変更する検索条件変更手段と、
該検索条件変更手段で検索条件が変更された場合、変更後の検索条件に一致する画像ファイルを検索する検索手段と、
該検索手段での検索結果に基づき、前記ファイル順序情報で特定される複数の画像ファイルの並びの中で、前記検索条件に一致する画像ファイル群の相対位置を示すインジケータを表示するインジケータ表示手段と、
前記上下左右方向を示すキー中の左右キーのいずれかが操作された場合、直前に表示された画像の順序位置よりも前、或いは後の順序位置を有し、且つ、前記検索条件に一致した画像ファイルを選択し、表示する画像表示手段と
を備えることを特徴とする画像処理装置。
【請求項１４】
前記検索条件変更手段は、撮影日時、撮影モード、画像ファイルの種類の中から検索条件を選択することで、検索条件を変更することを特徴とする請求項１３に記載の画像処理装置。
【請求項１５】
前記撮影モードには、自動、近景、ポートレート、スナップ、遠景が含まれることを特徴とする請求項１４に記載の画像処理装置。
【請求項１６】
前記画像ファイルの種類には、動画像、静止画が含まれることを特徴とする請求項１４に記載の画像処理装置。
【請求項１７】
前記ファイル順序情報はファイル名に含まれるインデックス番号であることを特徴とする請求項１３に記載の画像処理装置。
【請求項１８】
前記ファイル順序情報は撮影日時を示す情報であることを特徴とする請求項１３に記載の画像処理装置。
【請求項１９】
ファイル順序情報と関連づけられた複数の画像ファイルを記憶している記憶媒体の中から、設定された検索条件に一致する画像を表示する画像処理装置の制御方法であって、
上下左右方向を示すキー中の上下キーのいずれかが操作された場合、検索条件を変更する検索条件変更工程と、
該検索条件変更工程で検索条件が変更された場合、変更後の検索条件に一致する画像ファイルを検索する検索工程と、
該検索工程での検索結果に基づき、前記ファイル順序情報で特定される前記複数の画像ファイルの並びの中で、前記検索条件に一致する画像ファイル群の相対位置を示すインジケータを表示するインジケータ表示工程と、
前記上下左右方向を示すキー中の左右キーのいずれかが操作された場合、直前に表示された画像の順序位置よりも前、或いは後に順序位置を有し、且つ、前記検索条件に一致した画像ファイルを選択し、表示する画像表示工程と
を備えることを特徴とする画像処理装置の制御方法。
【請求項２０】
請求項１９に記載の各工程をコンピュータに実行させることを特徴とするコンピュータプログラム。
【請求項２１】
請求項２０に記載のコンピュータプログラムを格納したことを特徴とするコンピュータ可読記憶媒体。
【手続補正２】
【補正対象書類名】明細書
【補正対象項目名】０００６
【補正方法】変更
【補正の内容】
【０００６】
この課題を解決するため、本発明の画像処理装置は以下の構成を備える。すなわち、
ファイル順序情報と関連づけられた複数の画像ファイルを記憶している記憶媒体の中から、設定された検索条件に一致する画像を表示する画像処理装置であって、
前記ファイル順序情報で特定される前記複数の画像ファイルの並びの中で、前記検索条件に一致する画像の相対位置を示すインジケータを表示するインジケータ表示手段と、
前記検索条件に一致する画像の１つを表示する画像表示手段と、
所定の指示入力に応じて、表示された画像に代わって、当該画像の後或いは前の順序位置にあり、前記検索条件に一致する画像を表示する画像切り換え手段とを備える。
【手続補正３】
【補正対象書類名】明細書
【補正対象項目名】００６０
【補正方法】変更
【補正の内容】
【００６０】
なお、図４の表示状態で、キー４５３が押下された場合には、最新の画像を表示すると共に、マーカー４０８は右端に移動することになる。逆の場合も同様である。
【手続補正４】
【補正対象書類名】明細書
【補正対象項目名】００６７
【補正方法】変更
【補正の内容】
【００６７】
ここで注目する点は、位置表示エリア４０７の表示形態である。画像表示エリア４０１に表示される画像が７７番目のファイルであるので、位置表示エリア４０７内のマーカ４０８が図７に示すような位置に表示されるのは図４との関係から容易に理解できよう。しかし、上記の場合、動画像として３つが検索されたわけであるから、キー４５２、４５３を操作した際のマーカ４０８の移動できる位置は、図示のマーカ４０８、４０９の３つの位置に限られる。つまり、図５の状態で、キー４５３が操作された場合には、１３０番目のファイルにまで一気にマーカ４０８は移動する。逆に図示のエリア４１０には、検索対象となる動画像ファイルが存在しないのでマーカ４０８は移動しない。先に説明した図４での検索キー「Ｄａｔｅ」では、全画像が検索対象となり得るので、位置表示エリア４０７の表示はマーカ４０８と、移動可能を示すマーカ４０９の２つしか存在しなかったと言える。
【手続補正５】
【補正対象書類名】明細書
【補正対象項目名】０１０８
【補正方法】変更
【補正の内容】
【０１０８】
＜第２の実施形態＞
次に、第２の実施形態について説明する。本第２の実施形態の特徴とする点は、表示モードで、某月某日の画像を見たい等の要求に応えるものである。